(57)【要約】      （修正有）【課題】ゴルフプレイヤが、練習をしたいときに安価に、ゴルフプレイヤの骨盤両端部の軌道と、両肩の軌道と、ゴルフクラブのグリップの軌道と、クラブヘッドの軌道の少なくとも１つの軌道のぶれを容易に確認でき、全身をバランス良く使い切るスイングを身につけられるゴルフスイング練習具を提供する。【解決手段】ゴルフクラブ１４のヘッド１４ｂの軌道上から離れて配置されるマーカ７と、マーカ７をペットボトル９の蓋８に回転可能に支持する回転支持部とを有し、マーカ７にゴルフクラブ１４が当るとマーカ７が変位するクラブヘッド軌道ぶれ確認装置１ｂからなる。さらに、眼鏡２に接続されたひも３と、ひも３に吊るされた錘４を有し、スイング中にひも３又は錘４にゴルフプレイヤ１３が触れることにより姿勢が適正でないことを確認させる上体軌道ぶれ確認装置１ａも組み合わせられる。【選択図】図６
0003156983.tif 000002
【実用新案登録請求の範囲】
【請求項１】
スイングにおけるゴルフクラブのヘッドの軌道上から離れて配置されるマーカと、
前記マーカをペットボトルの蓋に回転可能に支持する回転支持部とを有し、
前記マーカは、前記回転支持部を介して前記蓋に連結され、
前記マーカにゴルフクラブが当ると前記マーカが変位するクラブヘッド軌道ぶれ確認装置からなることを特徴とするゴルフスイング練習具。
【請求項２】
前記クラブヘッド軌道ぶれ確認装置は、
前記マーカと前記蓋との距離が調整可能である距離調整部を有することを特徴とする請求項１に記載のゴルフスイング練習具。
【請求項３】
前記クラブヘッド軌道ぶれ確認装置は、
前記マーカを支持する弾性変形可能な線状部材を有することを特徴とする請求項１又は請求項２に記載のゴルフスイング練習具。
【請求項４】
眼鏡に接続されたひもと、前記ひもに吊るされた錘を有し、ゴルフプレイヤが前記眼鏡をかけ前記ゴルフクラブを持ってアドレスの姿勢をとると、前記錘は前記ゴルフクラブをグリップしているゴルフプレイヤの手の上方かつ近傍に位置し、スイング中に前記ひも又は錘に前記ゴルフプレイヤが触れることにより前記ゴルフプレイヤに姿勢が適正でないことを確認させる上体軌道ぶれ確認装置と、
前記クラブヘッド軌道ぶれ確認装置との組み合わせからなることを特徴とする請求項１乃至請求項３にいずれか１項に記載のゴルフスイング練習具。
【請求項５】
前記上体軌道ぶれ確認装置は、
前記ひもの長さが調整可能である長さ調整部を有することを特徴とする請求項４に記載のゴルフスイング練習具。
【考案の詳細な説明】
【技術分野】
【０００１】
本考案は、ゴルフクラブのスイングの練習に用いるゴルフスイング練習具に関する。
【背景技術】
【０００２】
従来、ゴルフスイング練習具としては、ゴルフボールを見る照準開口を有するもの（例えば、特許文献１、２、３参照）、目とゴルフボールとの目線上に照準開口ではない照準点を有するもの（例えば、特許文献４、５、６参照）、透明ガラスまたは透明樹脂からなる基準標的体を有するもの（例えば、特許文献７、８、９参照）が提案されている。このように、従来のゴルフスイング練習具は、照準開口、照準点、基準標的体を用いて、ゴルフクラブのスイング中に、ゴルフプレイヤが、頭を動かさないで、スイングの最後までゴルフボールを見続けることができるようにするための練習を補助している。
【先行技術文献】
【特許文献】
【０００３】
【特許文献１】実公昭４３−３０３４１号公報
【特許文献２】実開昭５２−４４８７６号公報
【特許文献３】実開昭５９−３６３７２号公報
【特許文献４】実開昭５９−１６４６７２号公報
【特許文献５】実開昭５１−６１９６７号公報
【特許文献６】特開２００４−３２１７６７号公報
【特許文献７】特公昭４４−３２２１４号公報
【特許文献８】特公昭４５−９６２４号公報
【特許文献９】実開昭６３−１５７１号公報
【考案の概要】
【考案が解決しようとする課題】
【０００４】
しかし、ゴルフクラブのスイング中に、ゴルフプレイヤが、頭を動かさないで、スイングの最後までゴルフボールを見続けるというのは、ゴルフプレイヤに不自然な動きを強いることになる場合があるため、全身をバランス良く使い切ることができなくなるといった弊害が生じるケースがあった。逆に、全身をバランス良く使い切ることができるスイングが行えると、ストレスの発散効果が高く、高い爽快感が得られ、誰もがそれぞれの人生の長きに渡り、心からゴルフを楽しんでいけるということに繋がると考えられる。
【０００５】
次に、全身をバランス良く使い切るスイングとはどのようなものか説明する。スイングでの大切なポイントは、クラブヘッドの略楕円の軌道上にインパクトが存在し、そのクラブヘッドの軌道は、他の軌道とダイナミックに連携している点である。クラブヘッドの軌道と連携している軌道としては、ゴルフクラブのグリップの略楕円の軌道と、ゴルフプレイヤの両肩の略円の軌道と、ゴルフプレイヤの骨盤両端部の略円の軌道が挙げられる。全身をバランス良く使い切るスイングにおいては、骨盤両端部、両肩、グリップ、クラブヘッドの順に、連鎖的に相互に連動して、いわゆるダイナミックに、それぞれの軌道上を動くことになる。アドレスからテークバックまでは、腰（骨盤両端部、両足の内側からの動き）、両肩、腕、グリップ、クラブヘッドの順番で、クラブを含む身体の各部位が、順番に動き、テークバック後のトップからフィニッシュにかけての逆旋回の動作も、腰（骨盤両端部）、両肩、腕、グリップ、クラブヘッドの順番に動くことになる。このような全身をバランス良く使い切るスイングにおいては、ゴルフプレイヤは、腰（骨盤両端部）、両肩、腕、グリップの回転によって生み出されたクラブのシャフトのしなりを実感することができ、そのしなりがゴルフボールを飛ばす運動エネルギーに変換されていると感じることができる。
【０００６】
そして、ゴルフプレイヤは、全身をバランス良く使い切るスイングを、再現性よく実施できるように、いわゆる、体に覚えさせるために、スイングの練習をすることになる。練習の目的は、何回スイングしても、ゴルフプレイヤの骨盤両端部の軌道と、ゴルフプレイヤの両肩の軌道と、ゴルフクラブのグリップの軌道と、クラブヘッドの軌道の、合計４つの軌道が、ぶれずに繰り返し同じところを通るようにすることである。しかし、ゴルフプレイヤが、４つの軌道がぶれているのか否かを確認するのは困難である。ティーチングプロのようなインストラクタに指導してもらえるのであれば、４つの軌道がぶれているのか否かを確認することができるとしても、スイングの練習の全てをインストラクタに確認してもらうのは、時間的、経済的な制約が生じるので、ゴルフプレイヤ自身のペースで練習を行うことができない。逆に、ゴルフプレイヤが、インストラクタの時間的経済的な制約によらず、練習をしたいときに安価に、４つの軌道の少なくとも１つでも、ぶれているのか否かを容易に確認できれば、全身をバランス良く使い切るスイングを容易に身につけられると考えられる。
【０００７】
そこで、本考案は、ゴルフプレイヤが、練習をしたいときに、簡便に持ち運びができ、かつ、安価に、４つの軌道の少なくとも１つのぶれを容易に確認でき、全身をバランス良く使い切るスイングを身につけられるゴルフスイング練習具を提供することを目的とする。
【課題を解決するための手段】
【０００８】
本考案は、前記課題に鑑みて創案されたものであり、スイングにおけるゴルフクラブのヘッドの軌道上から離れて配置されるマーカと、
前記マーカをペットボトルの蓋に回転可能に支持する回転支持部とを有し、
前記マーカは、前記回転支持部を介して前記蓋に連結され、
前記マーカにゴルフクラブが当ると前記マーカが変位するクラブヘッド軌道ぶれ確認装置からなるゴルフスイング練習具であることを特徴としている。
【０００９】
これによれば、ペットボトルの本体に水等の液体を入れて、蓋を閉めれば、ゴルフボールを置くフィールド上に、その蓋付きのペットボトルを立てて置くことができる。蓋はペットボトルの高さ分、フィールドより高く配置され、蓋に支持されるマーカもフィールドより高くフィールドから離れて配置することができる。マーカをペットボトルからゴルフプレイヤへの方向に向かうように回転させておくと、マーカはフィールドから離れて配置されているので、マーカの下をクラブヘッドが通過するように、クラブヘッドの軌道を設定することができる。クラブヘッドが、ペットボトルとマーカに当らない軌道を、ぶれていないときの目標とする軌道とすると、ゴルフクラブをスイングしたときに、クラブヘッドがペットボトルに当ってペットボトルが倒れたり、クラブヘッドがマーカに当って回転し変位したりすることで、クラブヘッドの軌道が目標からぶれたことを、ゴルフプレイヤは容易に認識することができる。また、マーカのゴルフプレイヤ側を、クラブヘッドの直上のクラブシャフトの下端部が通過するように、クラブヘッドの軌道を設定することができる。クラブシャフトの下端部が、マーカに当らない軌道を、ぶれていないときの目標とする軌道とすると、ゴルフクラブをスイングしたときに、クラブシャフトの下端部がマーカに当って回転し変位したりすることで、クラブヘッドの軌道が目標からぶれたことを、ゴルフプレイヤは容易に認識することができる。
【００１０】
また、ペットボトルの蓋はマーカを支持しているが、ペットボトルの本体には特に支持するものがあるわけではないので、ペットボトルの蓋に対して本体は適宜変更することができる。すなわち、このマーカが支持している蓋は、規格が同じであるので、いかなる形状のペットボトルの本体、どこの地域で購入したペットボトルの本体に対しても、蓋ができ、ゴルフスイング練習具を使用することができる。例えば、高さの異なるペットボトルの本体を使用することで、クラブヘッドの軌道のぶれの許容幅を変更することができる。具体的には、ペットボトルの高さを高くするほど、許容幅を大きくでき練習の難易度をやさしくすることができる。また、ペットボトルはどこでもいつでも購入できるので、練習先までは、マーカを支持している蓋を持っていくが、ペットボトルは練習先で購入し、その本体を調達してもよいのである。このように、ペットボトルの蓋にマーカを支持させているので、クラブヘッド軌道ぶれ確認装置を安価に製造できる。そして、クラブヘッド軌道ぶれ確認装置によれば、インストラクタによらなくても、クラブヘッドの軌道がぶれているのか否かを容易に確認できる。
【００１１】
また、本考案では、前記クラブヘッド軌道ぶれ確認装置は、前記マーカと前記蓋との距離が調整可能である距離調整部を有することが好ましい。これによれば、クラブヘッドがペットボトルに当らないように、クラブヘッドをペットボトルから離す距離と、クラブシャフトの下端部がマーカに当らないように、クラブシャフトの下端部をマーカから離す距離とを、互いに独立に調整することができ、例えば、ゴルフクラブによらず、それぞれの距離を一定にすることができる。このため、クラブヘッドの大きさが異なるゴルフクラブであったり、クラブシャフトのライ角の異なるウッドやアイアンの番手の異なるゴルフクラブであったりしても、同程度のぶれの誤差を許容しつつ（同じ難易度で）、クラブヘッドの軌道が目標からぶれたことを、ゴルフプレイヤは認識することができる。
【００１２】
また、本考案では、前記クラブヘッド軌道ぶれ確認装置は、前記マーカを支持する弾性変形可能な線状部材を有することが好ましい。これによれば、マーカにクラブヘッドやクラブシャフトが当った衝撃が緩和されてマーカから蓋側に伝達されるので、ペットボトルが倒れることがほとんどない。
【００１３】
また、本考案では、眼鏡に接続されたひもと、前記ひもに吊るされた錘を有し、ゴルフプレイヤが前記眼鏡をかけ前記ゴルフクラブを持ってアドレスの姿勢をとると、前記錘は前記ゴルフクラブをグリップしているゴルフプレイヤの手の上方かつ近傍に位置し、スイング中に前記ひも又は錘に前記ゴルフプレイヤが触れることにより前記ゴルフプレイヤに姿勢が適正でないことを確認させる上体軌道ぶれ確認装置と、
前記クラブヘッド軌道ぶれ確認装置との組み合わせからなることが好ましい。
【００１４】
すでに、前記クラブヘッド軌道ぶれ確認装置を用いることで、クラブヘッドの軌道のぶれが容易に確認できることを説明した。ここでは、ゴルフプレイヤの両肩の軌道のぶれと、ゴルフクラブのグリップの軌道のぶれとが、インストラクタによらなくても、前記上体軌道ぶれ確認装置によって容易に確認できることを説明する。なお、ゴルフプレイヤの骨盤両端部の軌道のぶれは、今回、直接には確認していない。これは、ゴルフプレイヤの両肩の軌道のぶれと、ゴルフクラブのグリップの軌道のぶれとが、許容範囲内であると確認できれば、骨盤両端部の軌道のぶれも許容範囲内であると判断できるからである。ただ、逆に、ゴルフプレイヤの両肩の軌道またはゴルフクラブのグリップの軌道のぶれが確認された場合は、確認されたぶれの軌道修正だけでなく、骨盤両端部の軌道がぶれているかも知れないことを考慮する必要がある。そして、上体軌道ぶれ確認装置は、眼鏡とひもと錘とからなっているので、安価に製造することができる。
【００１５】
まず、ゴルフプレイヤの両肩の軌道のぶれが容易に確認できることを説明する。ゴルフプレイヤが眼鏡をかけると、眼鏡に接続されたひもは、錘が吊るされているのでピンと張り、両肩に挟まれた位置関係にある胸部前方に離れて垂れ下がる。そして、両肩が、ひもに当らない軌道を、ぶれていないときの目標とする軌道とする。ひもと胸部との間隔は、ゴルフプレイヤが前傾すればするほど大きくなり、逆に、上体が起き上がれば起き上がるほど小さくなり、ひもが両肩に当りやすくなる。このように、上体軌道ぶれ確認装置によれば、上体が起き上がりすぎたことによるゴルフプレイヤの両肩の軌道のぶれを確認できる。また、ひもと胸部との間隔は、ひもが眼鏡に接続されているので、ヘッドアップすればするほど小さくなり、ひもが両肩に当りやすくなる。このように、ゴルフスイング練習具によれば、ヘッドアップのしすぎを、ゴルフプレイヤの両肩の軌道のぶれとして確認することができる。これにより、腰や肩を自分の後方に動かすことでバランスがとれて、身体が正しく使われていることが自然にわかる。
【００１６】
そして、ゴルフクラブをスイングしたときに、両肩がひもに当ると、ひもにかかる張力が変化し、その接触した感触が眼鏡を介してゴルフプレイヤに伝達される。ゴルフプレイヤは、この眼鏡を介して伝達される接触感触により、または、ひもが当った肩の触覚による直接的感触により、両肩の軌道のぶれを容易に確認できるのである。
【００１７】
次に、ゴルフクラブのグリップ（ゴルフプレイヤの手）の軌道のぶれが容易に確認できることを説明する。ゴルフプレイヤが眼鏡をかけゴルフクラブを持ってアドレスの姿勢をとると、錘はゴルフクラブのグリップ（手）の上方かつ近傍に位置するようにぶら下げられる。そして、スイング中にグリップが、錘に当らない軌道を、ぶれていないときの目標とする軌道とする。また、前腕部が、ひもまたは錘に当らない軌道も、ぶれていないときの目標とする軌道とする。
ゴルフクラブをスイングしたときに、グリップ（手）または前腕部がひもまたは錘に触れると、ひもにかかる張力が変化し、その接触した感触が眼鏡を介してゴルフプレイヤに伝達される。ゴルフプレイヤはこの眼鏡を介して伝達される接触感触により、または、ひもまたは錘が当ったグリップ（手）または前腕部の触覚による直接的感触により、ゴルフクラブのグリップの軌道のぶれが容易に確認できる。
【００１８】
また、本考案では、前記上体軌道ぶれ確認装置は、前記ひもの長さが調整可能である長さ調整部を有することが好ましい。これによれば、ゴルフプレイヤの体格によらず、錘を、ゴルフプレイヤがゴルフクラブを持ってアドレスの姿勢をとったときのゴルフクラブのグリップの上方かつ近傍の位置に調整することができる。また、ゴルフプレイヤの前腕部は、ゴルフクラブを構えた際には真下に垂れているわけでなく、前方に傾いている。このため、前腕部でもグリップに近づく程、ひもや錘との間隔が狭くなる。逆に、錘を引き上げれば上げるほど、錘と前腕部（腕部）との間隔は広がる。そして、錘と前腕部（腕部）との間隔が広がれば広がるほど、ゴルフクラブのグリップの軌道のぶれの許容幅を大きくでき、練習の難易度をやさしくすることができる。このように、ひもの長さを調整することにより、ゴルフクラブのグリップの軌道のぶれの許容幅を変更でき、練習の難易度を変更することができる。
【考案の効果】
【００１９】
本考案によれば、ゴルフプレイヤが、練習をしたいときに、どこにでも手軽に持ち運びでき、４つの軌道の少なくとも１つのぶれを容易に確認でき、全身をバランス良く使い切るスイングを身につけられるゴルフスイング練習具を提供できる。
【図面の簡単な説明】
【００２０】
【図１】本考案の第１実施形態に係るゴルフスイング練習具の上体軌道ぶれ確認装置の斜視図である。
【図２】（ａ）は本考案の第１実施形態に係るゴルフスイング練習具のクラブヘッド軌道ぶれ確認装置の斜視図であり、（ｂ）は（ａ）の伸縮方向を含む面での断面図である。
【図３】本考案の第１実施形態に係るゴルフスイング練習具の上体軌道ぶれ確認装置を装着したゴルフプレイヤの側面図である。
【図４】本考案の第１実施形態に係るゴルフスイング練習具のクラブヘッド軌道ぶれ確認装置に対して、ゴルフクラブとゴルフボールの置き位置を示す図である。
【図５】ゴルフプレイヤがゴルフスイングの練習をする様子を時間を追って示す図であり、（ａ）はゴルフスイング直前の構えた状態を示し、（ｂ）はテークバックを始めてゴルフクラブのグリップの高さがゴルフプレイヤの横腹の高さまで上がってきた状態を示し、（ｃ）はテークバックでグリップの高さがゴルフプレイヤの肩の高さまで上がってきた状態を示し、（ｄ）はテークバックでグリップの高さがゴルフプレイヤの頭より上がった状態を示し、（ｅ）はダウンスイングに移行してグリップの高さがゴルフプレイヤの脇の下の高さまで下がってきた状態を示し、（ｆ）はインパクトの状態を示し、（ｇ）はフォローに移行してグリップの高さがゴルフプレイヤの肩の高さまで上がってきた状態を示し、（ｈ）はフィニッシュの状態を示している。
【図６】ゴルフプレイヤのゴルフスイング直前の構えた状態に対して、骨盤両端部の軌道、両肩の軌道、グリップの軌道、クラブヘッドの軌道毎の軌跡を示す図である。
【図７】（ａ）は本考案の第２実施形態に係るゴルフスイング練習具のクラブヘッド軌道ぶれ確認装置の斜視図であり、（ｂ）は（ａ）の伸縮方向を含む面での断面図である。
【図８】（ａ）は本考案の第３実施形態に係るゴルフスイング練習具のクラブヘッド軌道ぶれ確認装置の斜視図であり、（ｂ）は距離調整部１１の周辺の線状部材１２に沿った平面で切った断面図である。
【考案を実施するための形態】
【００２１】
＜第１実施形態＞
図１に、本考案の第１実施形態に係るゴルフスイング練習具１の眼鏡側（上体軌道ぶれ確認装置１ａ）の斜視図を示し、図２に、本考案の第１実施形態に係るゴルフスイング練習具１のペットボトル側（クラブヘッド軌道ぶれ確認装置１ｂ）の斜視図を示す。上体軌道ぶれ確認装置１ａと、クラブヘッド軌道ぶれ確認装置１ｂとは、ゴルフのスイングの練習に同時に使用してもよいし、別々に使用してもよい。上体軌道ぶれ確認装置１ａは、主に、ゴルフプレイヤの両肩の軌道のぶれと、ゴルフクラブのグリップの軌道のぶれを確認するものであり、クラブヘッド軌道ぶれ確認装置１ｂは、主に、クラブヘッドの軌道のぶれを確認するものである。
【００２２】
図１に示すように、上体軌道ぶれ確認装置１ａは、眼鏡２と、眼鏡２の眉間の位置にスペーサ６を介して取り付けられた長さ調整部５と、長さ調整部５から吊るされるひも３と、ひも３に吊るされる錘４とを有している。眼鏡２には、必ずしもレンズが入っている必要はなく、レンズが入っていなければ、通常、眼鏡を使用していない者でも、違和感なく、眼鏡２を装着することができる。また、眼鏡２は、通常使用している眼鏡の上からさらに重ねてかけられる眼鏡であってもよい。通常から使用している眼鏡を外すことなく、眼鏡２を装着することができる。
【００２３】
スペーサ６は、長さ調整部５の位置を、眼鏡２から離すことで、結果的にひも３が垂れる位置を、ゴルフプレイヤから離している。
【００２４】
長さ調整部５としては、例えば、ワンタッチでひもを固定できるコードクランプ（コードロック）を用いることができる。コードクランプでは、ボタンを押している間は、ひもの拘束が解け、ボタンを離すと、ひもが拘束され固定される。そこで、ボタンを押しながら、垂らすひもの長さを変更し、ひもの長さが所望の長さになったところでボタンを離しれ、垂らすひもの長さが変わらないように固定する。
【００２５】
ひも３としては、錘４が吊るされると真っ直ぐ垂直に垂れ下がるような柔軟性を持ったひもが望ましい。具体的には、テグス等を用いることができる。なお、垂直に垂れ下がるひも３は、姿勢を正す上での基準線になり得る。このため、ひも３がゴルフプレイヤからよく見えるように色を付けておいてもよい。
【００２６】
錘４としては、微風で流されない程度の重さがあればよい。また、錘４は、ゴルフプレイヤの体に当っても体を傷つけないような柔軟性を備えていることが望ましく、例えば、ゴム製や樹脂製のボールを用いることができる。
【００２７】
図２（ａ）に示すように、クラブヘッド軌道ぶれ確認装置１ｂは、ペットボトル（本体）９と、ペットボトル（本体）９に閉め込まれて蓋をする蓋８と、蓋８から離れた周りを回転可能に蓋８に支持されているマーカ７を有している。マーカ７を蓋８に回転可能に支持するために、蓋８の上部に、回転支持部１０が設けられている。回転支持部１０は、距離調整部１１を回転可能に支持している。距離調整部１１は、線状部材１２のマーカ７と距離調整部１１の間の長さを調整可能に、線状部材１２を支持している。線状部材１２は、マーカ７を支持している。すなわち、マーカ７は、線状部材１２と距離調整部１１と回転支持部１０とを介して、蓋８に対して回転可能に、蓋８との距離は調整可能に、蓋８に支持されている。
【００２８】
ペットボトル（本体）９に水等の液体を入れて、蓋８によって蓋を閉めれば、安定感を持って、クラブヘッド軌道ぶれ確認装置１ｂを立てることができる。クラブヘッド軌道ぶれ確認装置１ｂが、ゴルフボールを置くフィールド上に立てて置かれれば、蓋８はペットボトル（本体）９の高さ分、フィールドより高く配置される。蓋８に支持されるマーカ７もフィールドより高くフィールドから離れて配置される。ペットボトル（本体）９には特に支持するものがあるわけではないので、蓋８に対してペットボトル（本体）９は適宜変更することができる。すなわち、蓋８は、規格が同じであるので、いかなる形状のペットボトル（本体）９、どこの地域で購入したペットボトル（本体）９に対しても蓋ができる。このため、高さの異なるペットボトル（本体）９を使用することで、フィールドからの蓋８の高さとマーカ７の高さを変更することができる。また、ペットボトル（本体）９に入った飲料水は、全国にあるスパーマーケットやコンビニエンスストアー等の店で買え、通りやホーム、建物のホールに設置された自動販売機で買うことができる。このため、ペットボトル（本体）９はどこでもいつでも調達できるので、練習先までは、マーカ７を支持している蓋８を持っていくが、ペットボトル（本体）９は練習先で調達することができる。なお、ペットボトルのペットは、合成樹脂（プラスチック）の一種であるポリエチレンテレフタレート（ＰＥＴ）に由来しているが、本考案を実施するためのペットボトルの材料は、ポリエチレンテレフタレートに限らず、他の合成樹脂（プラスチック）を用いてもよいのである。この意味で、ペットボトルの語は、広くプラスチックボトルの意味で使用しているのである。
【００２９】
図２（ｂ）に示すように、回転支持部１０では、蓋８の上面に形成された貫通孔に、上面側からボルト１０ａが嵌め込まれている。ボルト１０ａには、蓋８の裏側からナット１０ｂとロックナット１０ｃがダブルナットで固定されている。ボルト１０ａとナット１０ｂは、蓋８の上面を締め付けていないので、蓋８に対して回転可能になる。このため、回転方向は、図２（ａ）に示す方向だけでなく、逆方向にも回転可能である。図２（ａ）に示す回転方向は、ゴルフプレイヤが右利きの場合に生じる回転方向であり、逆方向は左利きの場合に生じる回転方向である。どちらの方向にも回転可能なので、右利き、左利きのどちらにも対応可能である。また、ボルト１０ａの頭は、距離調整部１１の収納孔付き部材１１ａに溶接等により固定されている。
【００３０】
距離調整部１１は、パイプ形状の収納孔付き部材１１ａと、収納孔付き部材１１ａに取り付けられた固定ネジ１１ｂを有している。距離調整部１１は、パイプ形状の収納孔付き部材１１ａの中に収納しておく線状部材１２の長さを変更することで、線状部材１２のマーカ７と距離調整部１１間の長さを伸縮方向に伸縮させ、マーカ７と蓋８との距離を調整している。固定ネジ１１ｂは、収納孔付き部材１１ａにネジ切られた貫通孔に螺合している。固定ネジ１１ｂを締め込むと、固定ネジ１１ｂの先端が線状部材１２に当接し、線状部材１２が収納孔付き部材１１ａの内壁に圧接し固定される。
【００３１】
線状部材１２は、マーカ７の回転方向に弾性変形可能になっている。例えば、線状部材１２としては、図２に示すように、バネ材を用いることができる。これによれば、マーカ７にクラブヘッドやクラブシャフトが当った衝撃が緩和されてマーカ７から蓋８側に伝達するので、回転支持部１０や距離調整部１１や蓋８やペットボトル（本体）９に伝わる衝撃を小さくすることができる。
【００３２】
マーカ７には、ゴルフクラブが当ってもゴルフクラブに傷がつかないような柔らかい素材が用いられ、例えば、スポンジ等の発泡材を用いることができる。また、マーカ７は、フィールドと容易に識別できるように、例えば、グリーンの緑と識別可能なように、緑と補色の関係にある赤系統の色や、青色や、黒色等の緑色とは異なる色を配色することが望ましい。マーカ７は、線状部材１２が挿入され、に接着材等により固定されている。
【００３３】
図３に、本考案の第１実施形態に係るゴルフスイング練習具の上体軌道ぶれ確認装置１ａを装着したゴルフプレイヤ１３の側面図を示す。図３に示すように、錘４を吊り下げた状態のまま、ゴルフプレイヤ１３は、眼鏡２を装着している。ゴルフプレイヤ１３がアドレスをとると、ゴルフプレイヤ１３の上体は前傾し、顔は、右手の親指の付け根の、ちょうど手首を折ったときにできる凹みの部分に向ける。腕は、ゴルフクラブ１４と共に前方に傾斜させて構える。そして、錘４が、グリップしたときの右手首の凹み（右前腕部１３ａの先端）から前方に約５センチメートル離れた位置、すなわち、ゴルフクラブ１４のグリップの上方かつ近傍の位置に止まるように、姿勢を整え、ひも３の長さを調整する。こうして決まったグリップの位置が、正しいグリップの位置になる。なお、錘４の高さは、前腕部１３ａの先端の高さに合わせることには限られず、前腕部１３ａの根元のように、前腕部１３ａのどの高さに設定してもよいのである。このように高さを上げれば、前記の５センチメートルであった錘４と前腕部１３ａとの距離は大きくなる。この距離は、前記軌道のぶれの許容範囲を示すものであり、練習の難易度を示すものである。そこで、７センチメートル、１０センチメートルと許容範囲を広げれば、練習の難易度を下げ、初心者でも使用が可能になる。そして、ひも３が、鼻の頭の前方を通り、右手首の方向に向かっていることを確認することで、正しい方向に顔が向いていることを確認できる。
【００３４】
図４に、クラブヘッド軌道ぶれ確認装置１ｂに対して、ゴルフクラブ１４とゴルフボール１５の置き位置を示す。図４では、ゴルフクラブ１４として、７番アイアンを使うときを例示している。ゴルフボール１５の置き位置が決まっている場合は、その置き位置にゴルフボール１５を置き、そのゴルフボール１５にスイートスポットが対向するようにクラブヘッド１４ｂを構え、クラブヘッド１４ｂから５センチメートル離れたところに、ペットボトル（本体）９を配置する。最後に、距離調整部１１を用いて、マーカ７とゴルフクラブ１４のシャフト１４ａとの水平距離が５センチメートルになるように、マーカ７と蓋８との距離を調整する。同じゴルフクラブ１４でも、ゴルフプレイヤ１３の身長によって、ライ角θは変わってくるので、一人ずつ、マーカ７とシャフト１４ａとの水平距離が５センチメートルになるように、マーカ７と蓋８との距離を調整する必要がある。また、ゴルフクラブ１４の番手でもライ角θは変わってくるので、同様に、マーカ７と蓋８との距離を調整する必要がある。なお、これら２つの５センチメートルの距離設定は、前記軌道のぶれの許容範囲を示すものであり、練習の難易度を示すものである。そこで、４センチメートル、３センチメートルと許容範囲を狭めれば、練習の難易度を高めることができ、逆に、７センチメートル、１０センチメートルと許容範囲を広げれば、練習の難易度を下げ、初心者でも使用が可能になる。
【００３５】
図５に、ゴルフプレイヤ１３がゴルフスイング練習具１（１ａ、１ｂ）を用いて、ゴルフスイングの練習をする様子を時間を追って示す。
【００３６】
図５（ａ）は、ゴルフスイング直前のアドレスをとった状態を示している。良いアドレスの状態とは胸をかるく張り、背筋を伸ばし、骨盤を軽く前傾させて上半身全体をリラックスさせ、肩甲骨から両腕はあたかも垂れ下がっているような感じが望ましい。足の裏では、体重を土踏まずと拇指球の間くらいに感じ、静かな中に力を秘めているような感覚になるのが理想である。顔は下を向きすぎず、前の方を向くようにします。下目使いでゴルフボール１５を見るようにする。グリップにはほとんど力が入っていない状態が良い。上体をリラックスさせることで、眼鏡２から下がったひも３の先についた錘４を静止させる。そして、目の下、肩の前あたりのひも３の位置も確認し、前腕部１３ａが錘４に当らないように５センチメートル離しておく。更に、ゴルフクラブ１４のシャフト１４ａは、マーカ７に当たらないように５センチメートルくらい離し、ヘッド１４ｂのトウの部分はペットボトル（本体）９の腹から５センチメートルくらい離しておく。
【００３７】
図５（ｂ）は、テークバックを始めてゴルフクラブ１４のグリップの高さがゴルフプレイヤ１３の横腹の高さまで上がってきた状態を示し、図５（ｃ）は、さらに、テークバックが進み、グリップの高さがゴルフプレイヤ１３の肩の高さまで上がってきた状態を示している。テークバックでは、右の腰を身体の後ろにゆっくり引きながら、これと同時に、ゴルフクラブ１４のヘッド１４ｂも動き始める。テークバックの初めにはヘッド１４ｂはペットボトル（本体）９に当たらないようにする。そのままテークバックを続けながら、次に左肩がひも３に触れないようにバランスをとる。
【００３８】
図５（ｄ）は、テークバックでグリップの高さがゴルフプレイヤ１３の頭より上がったトップの状態を示している。トップの状態では、充分に右足に体重が乗りながら、身体の重心が右足に移動していることを感じ、いつでも下半身、つまり足の裏からの力の伝達で身体の左回転を始めることの意識の準備をしておく。
【００３９】
図５（ｅ）は、ダウンスイング（左回転）に移行してグリップの高さがゴルフプレイヤの脇の下の高さまで下がってきた状態を示し、図５（ｆ）は、インパクトの状態を示し、図５（ｇ）は、フォローに移行してグリップの高さがゴルフプレイヤの肩の高さまで上がってきた状態を示し、図５（ｈ）はフィニッシュの状態を示している。切り返してダウンスイング（左回転）が始まり、インパクト、フォロー、そしてフィニッシュへの一連の流れは止まることなく、スムーズに行われる。左肩１３ｂがダウンスイングの段階でひも３に触れず、フォローの段階で右肩１３ｂもひも３に触れなければよい。そのためには、切り返し直後に左の尻を大胆に後ろに持っていく動作が必要である。これによって、ゴルフクラブ１４を含めた身体の重心を感じることができ、その重心がスムーズに移動するのを実感することができる。両肩の動きをひも３を使って確認するだけでなく、ゴルフクラブ１４のグリップが錘４に当らないことを確認し、シャフト１４ａがマーカ７に当らないことを確認し、更に、ヘッド１４ｂのトウがペットボトル（本体）９に当たらないことを確認する。
【００４０】
そして、図５の（ａ）〜（ｈ）を、ゴルフプレイヤ１３の腰、特に、骨盤（両端部）に注目して眺めると、図６に示すように、骨盤（両端部）は、骨盤（両端部）の軌道Ｏ１上を動いていることがわかる。同様に、図５の（ａ）〜（ｈ）を、ゴルフプレイヤ１３の（両）肩に注目して眺めると、図６に示すように、（両）肩は、（両）肩の軌道Ｏ２上を動いていることがわかる。同様に、図５の（ａ）〜（ｈ）を、ゴルフクラブ１４のグリップに注目して眺めると、図６に示すように、ゴルフクラブ１４のグリップは、グリップの軌道Ｏ３上を動いていることがわかる。同様に、図５の（ａ）〜（ｈ）を、クラブヘッド１４ｂに注目して眺めると、図６に示すように、クラブヘッド１４ｂは、クラブヘッドの軌道Ｏ４上を動いていることがわかる。
【００４１】
ゴルフプレイヤ１３の両肩１３ｂの軌道Ｏ２のぶれは、ゴルフスイング練習具１の上体軌道ぶれ確認装置１ａによって容易に確認できる。すなわち、両肩１３ｂが、ひも３に当らない軌道を、ぶれていないときの目標とする軌道とするのである。ひも３と胸部との間隔は、ゴルフプレイヤ１３が前傾すればするほど大きくなり、逆に、上体が起き上がれば起き上がるほど小さくなり、ひも３が両肩１３ｂに当りやすくなる。このように、上体軌道ぶれ確認装置１ａによれば、上体が起き上がりすぎたことによるゴルフプレイヤ１３の両肩１３ｂの軌道Ｏ２のぶれを確認できる。また、ひも３と胸部との間隔は、ひも３が眼鏡２に接続されているので、ヘッドアップすればするほど小さくなり、ひも３が両肩１３ｂに当りやすくなる。このように、ゴルフスイング練習具によれば、ヘッドアップのしすぎを、ゴルフプレイヤ１３の両肩１３ｂの軌道Ｏ２のぶれとして確認することができる。そして、ゴルフクラブ１４をスイングしたときに、両肩１３ｂがひも３に当ると、ひも３にかかる張力が変化し、その接触した感触が眼鏡を介してゴルフプレイヤ１３に伝達される。ゴルフプレイヤ１３は、この眼鏡を介して伝達される接触感触により、または、ひも３が当った肩１３ｂの触覚による直接的感触により、両肩１３ｂの軌道Ｏ２のぶれを容易に確認できる。
【００４２】
ゴルフクラブ１４のグリップの軌道Ｏ３のぶれも、ゴルフスイング練習具１の上体軌道ぶれ確認装置１ａによって容易に確認できる。すなわち、ゴルフクラブ１４のグリップが、錘４に当らない軌道を、ぶれていないときの目標とするグリップ（手）の軌道Ｏ３とする。また、前腕部１３ａが、ひも３や錘４に当らない軌道も、ぶれていないときの目標とするグリップの軌道Ｏ３とする。ゴルフクラブ１４をスイングしたときに、ゴルフクラブ１４のグリップ（手）または前腕部１３ａが、ひも３や錘４に当って、ひも３にかかる張力が変化し、その接触した感触が眼鏡を介してゴルフプレイヤ１３に伝達される。ゴルフプレイヤ１３は、この眼鏡を介して伝達される接触感触により、または、ひも３や錘４が当ったグリップ（手）や前腕部１３ａの触覚による直接的感触により、ゴルフクラブ１４のグリップ（手）の軌道Ｏ３のぶれが容易に確認できる。
【００４３】
なお、ゴルフプレイヤ１３の骨盤（両端部）の軌道Ｏ１のぶれは、ゴルフスイング練習具１（１ａ、１ｂ）では、直接には確認していない。これは、ゴルフプレイヤ１３の両肩１３ｂの軌道Ｏ２のぶれと、ゴルフクラブ１４のグリップの軌道Ｏ３のぶれとが、許容範囲内であると確認できれば、骨盤（両端部）の軌道Ｏ１のぶれも許容範囲内であると判断できるからである。
【００４４】
クラブヘッドの軌道Ｏ４のぶれは、ゴルフスイング練習具１のクラブヘッド軌道ぶれ確認装置１ｂによって容易に確認できる。すなわち、クラブヘッド１４ｂとシャフト１４ａが、マーカ７とペットボトル（本体）９に当らないクラブヘッドの軌道Ｏ４を、ぶれていないときの目標とする軌道とするのである。ゴルフクラブ１４をスイングしたときに、クラブヘッド１４ｂがペットボトル（本体）９に当ってペットボトル（本体）９が倒れたり、クラブヘッド１４ｂがマーカ７に当ってマーカ７に当って回転し変位したりすることで、クラブヘッド１４ｂの軌道Ｏ４が目標からぶれたことを、ゴルフプレイヤ１３は容易に認識することができる。
【００４５】
軌道Ｏ１〜Ｏ４のぶれがなくなれば、クラブヘッド１４ｂの軌道Ｏ４は、何回振っても同じ軌道を通ることになる。そうなれば、クラブヘッド１４ｂを小手先でゴルフボール１５に当てようとする無駄な動きはなくなり、動きがスムーズになり、結果的に飛距離が伸び、飛ぶ方向の正確性まで向上する。
【００４６】
＜第２実施形態＞
図７に、本考案の第２実施形態に係るゴルフスイング練習具１のクラブヘッド軌道ぶれ確認装置１ｂの斜視図（図７（ａ））と断面図（図７（ｂ））を示す。第２実施形態のクラブヘッド軌道ぶれ確認装置１ｂが、第１実施形態のクラブヘッド軌道ぶれ確認装置１ｂと異なる点は、距離調整部１１が、回転支持部１０から着脱可能に支持されている点である。また、異なる点は、インジケータ１６が設けられ、線状部材１２のマーカ７と距離調整部１１間の長さを簡便に定量化できる点である。また、異なる点は、線状部材１２が、コイル材１２ａだけでなく、線材１２ｂも合わせて用いられている点である。
【００４７】
距離調整部１１は、固定用板ばね１０ｄに挟持されることで支持されている。このため、距離調整部１１は、固定用板ばね１０ｄから着脱可能になっている。固定用板ばね１０ｄの底部には貫通孔が形成され、蓋８の上面に形成された貫通孔と共に、上面側からボルト１０ａが嵌め込まれている。ボルト１０ａには、蓋８の裏側からナット１０ｂとロックナット１０ｃがダブルナットで固定されている。ボルト１０ａとナット１０ｂは、固定用板ばね１０ｄと蓋８を締め付けていないので、固定用板ばね１０ｄは蓋８に対して回転可能になっている。
【００４８】
インジケータ１６は、距離調整部１１のパイプ形状の収納孔付き部材１１ａの中に収納可能なプラスチック製のインナロッドに、目盛りが付けられたものである。インジケータ１６の先端には、線状部材１２が取り付けられている。収納孔付き部材１１ａの端部から露出している目盛りを読むことで、再現性よく、マーカ７と蓋８の間の長さを決定することができる。
【００４９】
線状部材１２は、コイル材１２ａと線材１２ｂとで形成されているので、それぞれの固有振動数も異なるので、ゴルフクラブ１４による打撃によっても共に共振することがなく、確実に打撃の衝撃を緩和して距離調整部１１等に伝達させることができる。
【００５０】
＜第３実施形態＞
図８に、本考案の第３実施形態に係るゴルフスイング練習具１のクラブヘッド軌道ぶれ確認装置１ｂの斜視図（図８（ａ））とその一部の断面図（図８（ｂ））を示す。第３実施形態のクラブヘッド軌道ぶれ確認装置１ｂが、第１実施形態のクラブヘッド軌道ぶれ確認装置１ｂと異なる点は、距離調整部１１において、線状部材１２を固定するための固定ネジ１１ｂの替わりに、コードクランプ（コードロック）１１ｃが用いられている点である。これによれば、ワンタッチで線状部材１２を固定できる。また、２つのコードクランプ（コードロック）１１ｃは背中合わせに対向して配置されているので、それぞれのボタンを挟むように同時に押すことができ、片手操作を可能にしている。
【００５１】
また、線状部材１２が２本設けられている点が、第１と第２の実施形態と異なっている。２本にすることで、打撃の衝撃に対する強度をますことができる。そして、２本の線状部材１２は、マーカ７の回転方向の回転によってマーカ７が運動する回転平面上に配置されているので、マーカ７に作用する回転方向の力に対して、細い線材１２ｂのような線状部材１２であっても充分耐えることができる。
【符号の説明】
【００５２】
１      ゴルフスイング練習具
１ａ    ゴルフスイング練習具（上体軌道ぶれ確認装置、眼鏡側）
１ｂ    ゴルフスイング練習具（クラブヘッド軌道ぶれ確認装置、ペットボトル側）
２      眼鏡
３      ひも
４      錘
５      長さ調整部
７      マーカ
８      （ペットボトルの）蓋
９      ペットボトル（本体）
１０    回転支持部
１１    距離調整部
１２    線状部材
１６    インジケータ
Ｏ１    骨盤（両端部）の軌道
Ｏ２    （両）肩の軌道
Ｏ３    グリップの軌道
Ｏ４    （クラブ）ヘッドの軌道
【図１】
0003156983.tif 000003
【図２】
0003156983.tif 000004
【図３】
0003156983.tif 000005
【図４】
0003156983.tif 000006
【図５】
0003156983.tif 000007
【図６】
0003156983.tif 000008
【図７】
0003156983.tif 000009
【図８】
0003156983.tif 000010